(57)【要約】【課題】収納区に収納でき、当該ファンのリード線や接続ピンが、収納部に収納でき、運搬や移動する時、衝撃や引っ張りにより、ファンのリード線と接続ピンが、断裂になる問題を防止できるファン取付ボックスを提供する。【解決手段】  本考案は、１つ以上の収納区があるボックス体と、収納区に設置される収納部と、を有するファン取付ボックスであり、当該ボックス体の１つ以上の収納区には、２つの独立である収納空間が形成される。【選択図】 図１
0003103736.tif 000002
【実用新案登録請求の範囲】
【請求項１】
１つ以上の収納区を有するボックス体と、
上記１つ以上の収納区に設置され、当該ボックス体の１つ以上の収納区に、２つの独立である収納空間を形成する、収納部とを有する、ことを特徴とする、ファン取付ボックス。
【請求項２】
当該ボックス体は、紙類の材質で作製される、ことを特徴とする、請求項1に記載のファン取付ボックス。
【請求項３】
当該収納区の空間は、当該収納部の空間より大きい、ことを特徴とする、請求項1に記載のファン取付ボックス。
【請求項４】
当該収納区と、収納部の壁の上部に、それぞれに、互いに対応する凹口が設置される、ことを特徴とする、請求項1に記載のファン取付ボックス。
【請求項５】
当該１つ以上の収納区と収納部は、互いに嵌接する多数の板体からなる、ことを特徴とする、請求項1に記載のファン取付ボックス。
【請求項６】
当該多数の板体の縁には、それぞれに、１つ以上の凹槽が設置され、それにより、多数の板体が互いに嵌接される、ことを特徴とする、請求項5に記載のファン取付ボックス。
【請求項７】
ボックス体があり、当該ボックス体内には、多数の直板が設置され、当該直板上には、互いに嵌接される多数の横板があり、当該多数の直板と、多数の横板とを利用して、ボックス体内に１つ以上の収納区が形成され、当該１つ以上の収納区の一側には、もう１つの板体が設置され、これにより、当該１つ以上の収納区の一側には、収納部が形成され、これにより、当該ボックス体の１つ以上の収納区には、２つの独立である収納空間がある、ことを特徴とする、ファン取付ボックス。
【請求項８】
当該ボックス体は、紙類の材質で作製される、ことを特徴とする、請求項7に記載のファン取付ボックス。
【請求項９】
当該収納区の空間は、当該収納部の空間より大きい、ことを特徴とする、請求項7に記載のファン取付ボックス。
【請求項１０】
当該収納区と、収納部の壁の上部に、それぞれに、互いに対応する凹口が設置される、ことを特徴とする、請求項7に記載のファン取付ボックス。
【請求項１１】
当該多数の直板と、多数の横板と、もう１つの板体の縁には、それぞれに、１つ以上の凹槽が設置され、それにより、多数の直板と、多数の横板と、もう１つの板体が互いに嵌接される、ことを特徴とする、請求項7に記載のファン取付ボックス。
【考案の詳細な説明】
【技術分野】
【０００１】
本考案は、ファン取付ボックスに関し、特に、運搬と移動する時、衝撃や引っ張りにより、ファンのリード線と接続ピンが、断裂になる問題があるものに関する。
【背景技術】
【０００２】
ファンを製造するメーカは、ファンを作製した後において、当該製品が、安全に得意先に運搬できるように、希望して、当該ファンの品質や会社の名誉を確保するが、当該ファンにおいて、運搬途中での衝撃により、ファンの接線端にある接続ピンが断裂になって、損害される現象は、起こされ、ゆえに、多数のファンを製造するメーカは、色々の対策を取り上げる。
【０００３】
例えば、ファンをトレーに収納することであり、それは、トレー上に、多数の収納区を設置し、これにより、当該ファンを当該収納区に収納して運搬をするが、当該トレーは、使用した後、回収できないので、一般、棄却され、そのため、ファンをトレーに収納することは、安全であるが、コストは、高くなる。
【０００４】
また、ある業者は、テープをファンの接線端に貼り付けてから、当該ファンをボックスにすることにより、運搬途中での衝撃により、ファンの接線端にある接続ピンが断裂になって損害される現象を防止するが、この方法では、得意先が、当該ファンを使用する時、当該テープを取り外してから、当該ファンが使用できるようになり、このため、得意先が、当該テープを取り外す時、テープが強く粘着されているため、過当な外力を印加して、ファンの接線端にある接続ピンが、断裂する問題が多く起こる。故に、一般な、従来のファンを収納する装置は、使用者の需要を満たさない。
【考案の開示】
【考案が解決しようとする課題】
【０００５】
本考案の目的は、トレーの高いコストの問題を解決する。
【０００６】
本考案の他の目的は、運搬や移動する時、衝撃や引っ張りにより、ファンのリード線と接続ピンが断裂になる問題を解決する。
【課題を解決するための手段】
【０００７】
請求項１に記載の本考案は、１つ以上の収納区を有するボックス体と、上記１つ以上の収納区に設置され、当該ボックス体の１つ以上の収納区に、２つの独立である収納空間を形成する、収納部とを有することを特徴とする。
【０００８】
請求項２に記載の本考案は、請求項１において、当該ボックス体が、紙類の材質で作製されることを特徴とする。
【０００９】
請求項３に記載の本考案は、請求項１において、当該収納区の空間は、当該収納部の空間より大きいことを特徴とする。
【００１０】
請求項４に記載の本考案は、請求項１において、当該収納区と、収納部の壁の上部に、それぞれに、互いに対応する凹口が設置されることを特徴とする。
【００１１】
請求項５に記載の本考案は、請求項１において、当該１つ以上の収納区と収納部が、互いに嵌接する多数の板体からなることを特徴とする。
【００１２】
請求項６に記載の本考案は、請求項５において、当該多数の板体の縁に、それぞれに、１つ以上の凹槽が設置され、それにより、多数の板体が互いに嵌接されることを特徴とする。
【００１３】
請求項７に記載の本考案は、ボックス体があり、当該ボックス体内には、多数の直板が設置され、当該直板上には、互いに嵌接される多数の横板があり、当該多数の直板と、多数の横板とを利用して、ボックス体内に１つ以上の収納区が形成され、当該１つ以上の収納区の一側には、もう１つの板体が設置され、これにより、当該１つ以上の収納区の一側には、収納部が形成され、これにより、当該ボックス体の１つ以上の収納区には、２つの独立である収納空間があることを特徴とする。
【００１４】
請求項８に記載の本考案は、請求項７において、当該ボックス体が、紙類の材質で作製されることを特徴とする。
【００１５】
請求項９に記載の本考案は、請求項７において、当該収納区の空間が、当該収納部の空間より大きいことを特徴とする。
【００１６】
請求項１０に記載の本考案は、請求項７において、当該収納区と、収納部の壁の上部に、それぞれに、互いに対応する凹口が設置されることを特徴とする。
【００１７】
請求項１１に記載の本考案は、当該多数の直板と、多数の横板と、もう１つの板体の縁には、それぞれに、１つ以上の凹槽が設置され、それにより、多数の直板と、多数の横板と、もう１つの板体が互いに嵌接されることを特徴とする。
【考案の効果】
【００１８】
本考案により、収納区に収納でき、当該ファンのリード線や接続ピンが、収納部に収納でき、運搬や移動する時、衝撃や引っ張りにより、ファンのリード線と接続ピンが、断裂になる問題を防止できる。
【考案を実施するための最良の形態】
【００１９】
図１、２、３は、本考案の立体外観概念図、本考案の立体分解概念図、本考案の使用状態概念図である。図のように、本考案は、ボックス体１と、ボックス体１に設置される収納区２及び収納部３とから構成されるファン取付ボックスであり、当該ファン４本体が収納区２に収納でき、当該ファン４のリード線４１及び接続ピン４２が収納部３に収納できることにより、運搬及び移動する時、衝撃や引っ張りにより、ファン４のリード線４１と接続ピン４２が、断裂になる問題を防止できる。
【００２０】
上記のボックス体１は、紙類の材質で作製され、当該ボックス体１には、多数の直板１１が設置され、また、当該直板１１上には、多数の横板１２が嵌接され、当該多数の直板１１と多数の横板１２とにより、ボックス体１の内には、１つ以上の収納区２が形成され、また、当該１つ以上の収納区２の一側には、更に、もう１つの板体１３が設置され、これにより、当該１つ以上の収納区２の一側に収納部３が形成され、当該収納部３は、実際の状況に応じて、収納区２内部にある任意の一側（前側、後側、左側、右側）に設置でき、また、当該多数の直板１１と、多数の横板１２と、もう１つの板体１３との縁には、されぞれに、１つ以上の凹槽１１１、１２１、１３１が設置され、これにより、多数の直板１１と、多数の横板１２と、もう１つの板体１３とは、互いに嵌接するようになり、また、当該ボックス体１の１つ以上の収納区２に、２つの独立である収納空間があることと、当該収納区２の空間が当該収納部３の空間より大きいことにより、また、当該収納区２と、収納部３との壁の上部に、それぞれに、互いに対応する凹口２１、３１が設置されることにより、上記の構成で新しいファン取付ボックスが実現される。
【００２１】
図３は、本考案の使用状態概念図である。図のように、使用者が本考案を利用してファン４を収納する時、当該ファン４本体を当該ボックス体１の収納区２に収納してから、当該ファン４のリード線４１と接続ピン４２とを当該ボックス体１の収納部３に収納し、これにより、当該ファン４と、その上にあるリード線４１及び接続ピン４２とを、それぞれに収納することができ、運搬する時の衝撃による当該ファン４の接続ピン４２の断裂を防止できる。
【００２２】
使用者がファン４を取る時、当該収納区２と収納部３との壁の上部に、それぞれに、互いに対応する凹口２１、３１が設置されることにより、指でファン４本体の両側を取って、外力を印加し、当該ファン４本体全体を取り出し、この時、当該ファン４のリード線４１と接続ピン４２とも、収納部３から取り出され、これにより、当該ファン４のリード線４１と接続ピン４２とが取り出される時、引っ張りにより、ファンのリード線４１と接続ピン４２とにとっては、断裂になる問題を防止できる。また、凹口２１、３１も、リード線４１を受けることに使用できる。
【００２３】
上記の説明は、ただ、本考案のよりよい実施例であり、本考案の実施範囲は、それによって、制限されなくて、本考案の実用新案登録請求の範囲内で、色々な等価変化や修正が含まれている。
【図面の簡単な説明】
【００２４】
【図１】本考案の立体外観概念図である。
【図２】本考案の立体分解概念図である。
【図３】本考案の使用状態概念図である。
【符号の説明】
【００２５】
ボックス体  １
直板  １１
横板  １２
板体  １３
凹槽  １１１、１２１、１３１
収納区  ２
収納部  ３
凹口  ２１、３１
ファン  ４
リード線  ４１
接続ピン  ４２
【図１】
0003103736.tif 000003
【図２】
0003103736.tif 000004
【図３】
0003103736.tif 000005